【手続補正書】
【提出日】平成15年12月2日(2003.12.2)
【手続補正１】
【補正対象書類名】明細書
【補正対象項目名】発明の名称
【補正方法】変更
【補正の内容】
【発明の名称】モータ制御装置及びテープレコーダ


【手続補正２】
【補正対象書類名】明細書
【補正対象項目名】特許請求の範囲
【補正方法】変更
【補正の内容】
【特許請求の範囲】
【請求項１】
ピンチローラに圧着されたキャプスタンモータによりテープ状記録媒体を走行させる制御を行うモータ制御装置であって、
上記テープ状記録媒体と、上記キャプスタンモータ及び上記ピンチローラとの間の滑り量を検出する滑り量検出手段と、
上記滑り量検出手段により任意の所定値以上の滑り量が検出された場合に、上記キャプスタンモータの速度を低下させる制御手段とを備えることを特徴とするモータ制御装置。
【請求項２】
テープ状記録媒体上に走行方向に対して斜め方向に形成されたトラックに沿って磁気的に記録された記録信号に重畳してトラッキングをとるための循環的に記録された複数種類の周波数信号に従って上記テープ状記録媒体を走行させるモータを制御することにより、上記記録媒体から上記信号を再生する再生手段と上記記録媒体との間のトラッキングを制御するモータ制御装置であって、
上記再生手段と上記記録媒体との間のトラッキングがとれているか否かを検出するトラッキング検出手段と、
上記モータの回転速度を変更するモータ倍速可変手段とを備え、
上記モータ倍速可変手段は、高速サーチ再生モードにおいて、上記トラッキング検出手段の検出結果により上記トラッキングがとれていないことを検出した場合に、上記モータの回転速度を低下させることを特徴とするモータ制御装置。
【請求項３】
上記テープ状記録媒体上に記録信号が存在するか否かを検出する無記録検出手段を備え、
上記モータ倍速可変手段は、上記無記録検出手段の検出結果により上記テープ状記録媒体上に記録信号が存在しないことを検出した場合に、上記モータの回転速度を低下させる動作を停止すると同時に、上記モータの回転速度を初期状態に戻すことを特徴とする請求項２記載のモータ制御装置。
【請求項４】
テープ状記録媒体上に走行方向に対して斜め方向に形成されたトラックに沿って磁気的に記録された記録信号に重畳してトラッキングをとるための循環的に記録された複数種類の周波数信号に従って上記テープ状記録媒体を走行させるモータを制御することにより、上記記録媒体から上記信号を再生する再生手段と上記記録媒体との間のトラッキングを制御するモータ制御装置であって、
上記テープ状記録媒体の種類を検出するテープ種類検出手段と、
上記モータの回転速度を変更するモータ倍速可変手段とを備え、
上記モータ倍速可変手段は、高速サーチ再生モードにおいて、上記テープ種類検出手段の検出結果により上記テープ状記録媒体が特定種類のものであることを検出した場合に、上記モータの回転速度を低下させることを特徴とするモータ制御装置。
【請求項５】
上記モータ倍速可変手段は、上記テープ状記録媒体が低い摩擦係数を有する種類のものであった場合に上記モータの回転速度を低下させることを特徴とする請求項４記載のモータ制御装置。
【請求項６】
ピンチローラに圧着されたキャプスタンモータによりテープ状記録媒体を走行させる走行手段と、
上記テープ状記録媒体から信号を再生する再生手段と、
上記テープ状記録媒体と、上記キャプスタンモータ及び上記ピンチローラとの間の滑り量を検出する滑り量検出手段と、
高速サーチ再生モードにおいて、上記滑り量検出手段の検出結果に基づいて上記キャプスタンモータの速度を制御する制御手段とを備えることを特徴とするテープレコーダ。
【請求項７】
上記制御手段は、上記滑り量検出手段の検出結果により上記滑り量が所定値以上であることを検出した場合に、上記キャプスタンモータの速度を低下させることを特徴とする請求項６記載のテープレコーダ。
【請求項８】
上記記録媒体にはその長手方向に対して斜めに形成されたトラックに主信号とトラッキング制御用の信号とが記録されており、
上記再生手段により再生された再生信号に含まれる上記トラッキング制御用の信号に基づいて上記再生手段と上記記録媒体とのトラッキング制御を行うトラッキング制御手段とを備え、
上記滑り量検出手段は、上記トラッキング制御手段から得られるトラッキング状態を示す信号に基づいて上記滑り量を検出することを特徴とする請求項６記載のテープレコーダ。
【手続補正３】
【補正対象書類名】明細書
【補正対象項目名】０００１
【補正方法】変更
【補正の内容】
【０００１】
【発明の属する技術分野】
本発明は、例えば、キャプスタンモータとピンチローラによりテープ状記録媒体を走行させる際の制御を行うモータ制御装置及びテープレコーダに関するものであり、高速テープ走行モードや高速サーチモード等の特殊再生機能を有し、ヘリカルスキャン方式を採用したビデオテープレコーダ等に用いられるモータ制御装置及びテープレコーダに関するものである。


【手続補正４】
【補正対象書類名】明細書
【補正対象項目名】００１０
【補正方法】変更
【補正の内容】
【００１０】
そこで、本発明は、上記の欠点を除去するために成されたもので、テープ状記録媒体走行時にテープ状記録媒体と走行機構の間に滑りが発生した場合でも、常に適正な速度でテープ状記録媒体を走行させることができ、常にトラッキングを正確にとることができるモータ制御装置及びテープレコーダを提供することを目的とする。


【手続補正５】
【補正対象書類名】明細書
【補正対象項目名】００１１
【補正方法】変更
【補正の内容】
【００１１】
【課題を解決するための手段】
本発明に係るモータ制御装置は、ピンチローラに圧着されたキャプスタンモータによりテープ状記録媒体を走行させる制御を行うモータ制御装置であって、上記テープ状記録媒体と、上記キャプスタンモータ及び上記ピンチローラとの間の滑り量を検出する滑り量検出手段と、上記滑り量検出手段により任意の所定値以上の滑り量が検出された場合に、上記キャプスタンモータの速度を低下させる制御手段とを備えることを特徴とする。
また、本発明に係るモータ制御装置は、テープ状記録媒体上に走行方向に対して斜め方向に形成されたトラックに沿って磁気的に記録された記録信号に重畳してトラッキングをとるための循環的に記録された複数種類の周波数信号に従って上記テープ状記録媒体を走行させるモータを制御することにより、上記記録媒体から上記信号を再生する再生手段と上記記録媒体との間のトラッキングを制御するモータ制御装置であって、上記再生手段と上記記録媒体との間のトラッキングがとれているか否かを検出するトラッキング検出手段と、上記モータの回転速度を変更するモータ倍速可変手段とを備え、上記モータ倍速可変手段は、高速サーチ再生モードにおいて、上記トラッキング検出手段の検出結果により上記トラッキングがとれていないことを検出した場合に、上記モータの回転速度を低下させることを特徴とする。
また、本発明に係るモータ制御装置は、テープ状記録媒体上に走行方向に対して斜め方向に形成されたトラックに沿って磁気的に記録された記録信号に重畳してトラッキングをとるための循環的に記録された複数種類の周波数信号に従って上記テープ状記録媒体を走行させるモータを制御することにより、上記記録媒体から上記信号を再生する再生手段と上記記録媒体との間のトラッキングを制御するモータ制御装置であって、上記テープ状記録媒体の種類を検出するテープ種類検出手段と、上記モータの回転速度を変更するモータ倍速可変手段とを備え、上記モータ倍速可変手段は、高速サーチ再生モードにおいて、上記テープ種類検出手段の検出結果により上記テープ状記録媒体が特定種類のものであることを検出した場合に、上記モータの回転速度を低下させることを特徴とする。
また、本発明に係るテープレコーダは、ピンチローラに圧着されたキャプスタンモータによりテープ状記録媒体を走行させる走行手段と、上記テープ状記録媒体から信号を再生する再生手段と、上記テープ状記録媒体と、上記キャプスタンモータ及び上記ピンチローラとの間の滑り量を検出する滑り量検出手段と、高速サーチ再生モードにおいて、上記滑り量検出手段の検出結果に基づいて上記キャプスタンモータの速度を制御する制御手段とを備えることを特徴とする。


【手続補正６】
【補正対象書類名】明細書
【補正対象項目名】００１２
【補正方法】変更
【補正の内容】
【００１２】
【作用】
本発明によれば、テープ状記録媒体と、キャプスタンモータ及びピンチローラとの間の滑り量が任意の所定値以上であった場合には、上記キャプスタンモータの速度が低下する。これにより、テープ状記録媒体と、キャプスタンモータ及びピンチローラとの間に滑りが発生した場合には、上記テープ状記録媒体は、低い速度で走行する。
本発明によれば、高速サーチ再生モードにおいて、再生時にトラッキングがとれていない場合には、モータの回転速度が低下する。これにより、この場合には、テープ状記録媒体は、低い速度で走行する。
また、上記テープ状記録媒体上に記録信号が存在しない場合には、上記モータの回転速度を低下させる動作が停止され、これと同時に、上記モータの回転速度が初期状態に戻される。これにより、この場合には、上記テープ状記録媒体は、初期状態の速度で走行し、その速度が保たれる。
本発明によれば、走行させるテープ状記録媒体の種類が任意の特定種類のものであったには、モータの回転速度が低下する。これにより、任意の特定種類のテープ状記録媒体は、低い速度で走行する。
また、上記テープ状記録媒体が低い摩擦係数を有する種類のものであった場合には、上記モータの回転速度が低下する。これにより、低い摩擦係数を有するテープ状記録媒体は、他の種類のテープ状記録媒体の走行速度より低い速度で走行する。
本発明によれば、テープ状記録媒体と、キャプスタンモータ及びピンチローラとの間の滑り量に基づいて、上記キャプスタンモータの速度が制御される。これにより、上記テープ状記録媒体は、上記滑り量を考慮した速度で走行する。
また、上記滑り量が所定値以上であった場合には、上記キャプスタンモータの速度が低下する。これにより、テープ状記録媒体と、キャプスタンモータ及びピンチローラとの間に滑りが発生した場合には、上記テープ状記録媒体は、低い速度で走行する。
また、トラッキング状態に応じて、モータの回転速度が可変される。これにより、テープ状記録媒体は、トラッキング状態に応じた速度で走行する。


【手続補正７】
【補正対象書類名】明細書
【補正対象項目名】００４７
【補正方法】変更
【補正の内容】
【００４７】
【発明の効果】
以上説明したように本発明によれば、テープ状記録媒体と、キャプスタンモータ及びピンチローラとの間の滑り量が所定値以上であった場合には、キャプスタンモータの速度が低下するように構成したことにより、テープ状記録媒体と、キャプスタンモータ及びピンチローラとの間の滑りが発生した場合でも、上記滑り量を所定量以下に押さえるための適正な速度でテープ状記録媒体を走行させることができる。したがって、テープ状記録媒体を常に安定して適正な速度で走行させることができる。
本発明によれば、高速サーチ再生モードにおいて、トラッキングがとれていない状態であった場合には、モータの回転速度が低下するように構成したことにより、テープ状記録媒体を常に安定して適正な速度で走行させることができる。これにより、常に正確なトラッキングをとることができる。例えば、ヘリカルスキャン方式を採用したビデオテープレコーダにおいて、テープ状記録媒体とその走行機構の間で滑りが発生した場合でも、その滑りに追従してトラッキングをとることができる。
また、上記テープ状記録媒体上に記録信号が存在しない場合には、モータの回転速度の可変動作を停止すると同時に、モータの回転速度を初期状態に戻すように構成したことにより、テープ状記録媒体上に記録信号が存在しない部分を再生するときの誤動作を防ぐことができる。したがって、常に正確なトラッキングをとることができる。
本発明によれば、テープ状記録媒体が任意の特定種類のテープ状記録媒体であった場合には、モータの回転速度が低下するように構成したことにより、テープ状記録媒体を、走行開始時点から適正な速度で走行させることができる。したがって、常に正確なトラッキングをとることができる。
また、上記テープ状記録媒体が摩擦係数が低いテープ状記録媒体であった場合には、モータの回転速度が低下するように構成したことにより、滑りが大きいテープ状記録媒体であった場合でも、テープ走行の走行開始時点から正確なトラッキングをとることができる。したがって、さらに正確なトラッキングをとることができる。
本発明によれば、テープ状記録媒体と、キャプスタンモータ及びピンチローラとの間の滑り量に基づいて、キャプスタンモータの速度を制御するように構成したことにより、その滑り量を押さえるための適正な速度でテープ状記録媒体を走行させることができる。したがって、テープ状記録媒体を常に安定して適正な速度で走行させることができる。
また、上記滑り量が所定値以上であった場合には、キャプスタンモータの速度が低下するように構成したことにより、上記滑り量を所定量以下に押さえるための適正な速度でテープ状記録媒体を走行させることができる。
また、トラッキング状態に応じて、モータの回転速度を可変させるように構成したことにより、トラッキング状態に応じてテープ状記録媒体の速度を可変することができる。これにより、常に正確なトラッキングをとることができる。